(57)【要約】      （修正有）【課題】消費者が食品の外観をカスタマイズすることを可能にする販売システム及びクラウドサーバを提供する。【解決手段】販売システム１００は、端末装置１及びクラウドサーバ２を備え、クラウドサーバ２は、複数のパターン及び食品材料の複数の表現を端末装置１に送信する。端末装置１は、入力装置１１へのユーザの操作に従って、前記パターンから選択された１つのパターンに関連するパターン選択を生成する。さらに、入力装置１１へのユーザの操作に従って、選択された１つのパターンを構成するために、食品材料から選択された１つの食品材料に関連し、かつ、選択された食品材料の配置に関連する材料選択を生成し、材料選択をクラウドサーバ２に送信する。これにより、クラウドサーバ２は、材料選択に関連する食品の注文を生成する。【選択図】図１
2016001471.tif 000002
【特許請求の範囲】
【請求項１】
入力装置（１１）を備える端末装置（１）と、
通信ネットワーク（３）に接続され、データベース（２１）および該データベース（２１）に接続されたプロセッサ（２２）を備えたクラウドサーバ（２）であって、該データベース（２１）は、複数のパターンおよび食品材料の複数の表現を格納し、該食品材料の複数の表現は種々の食品材料にそれぞれ対応する、クラウドサーバ（２）と、
を備え、
前記端末装置（１）は、前記通信ネットワーク（３）を介して前記クラウドサーバ（２）と通信リンクを確立すると、食品のカスタマイズの要求を、前記クラウドサーバ（２）に前記通信リンクを介して送信することが可能になり、
前記端末装置（１）によって送信された前記要求を受け取った後、前記クラウドサーバ（２）の前記プロセッサ（２２）は、前記複数のパターンおよび前記食品材料の複数の表現を、前記端末装置（１）に前記通信リンクを介して送信するようにプログラムされており、
前記クラウドサーバ（２）によって送信された前記複数のパターンを受け取った後、前記端末装置（１）は、前記入力装置（１１）へのユーザの操作に従って、前記複数のパターンから選択された１つのパターンに関連するパターン選択を生成し、該パターン選択を、前記通信リンクを介して前記クラウドサーバ（２）に送信するようにプログラムされており、
クラウドサーバ（２）によって送信された前記食品材料の複数の表現を受け取った後、前記端末装置（１）は、前記入力装置（１１）へのユーザの操作に従って、複数のパターンから選択された１つのパターンを構成するために、前記種々の食品材料から選択された１つの食品材料に関連し、かつ、選択された前記種々の食品材料の１つの配置に関連する材料選択を生成し、該材料選択を前記クラウドサーバ（２）に前記通信リンクを介して送信するようにプログラムされており、
前記端末装置（１）によって送信された前記材料選択を受け取った後、前記クラウドサーバ（２）の前記プロセッサ（２２）は、前記材料選択に関連する食品の注文を生成するようにプログラムされている、販売システム（１００）。
【請求項２】
前記端末装置（１）によって送信された前記材料選択を受け取った後、前記クラウドサーバ（２）の前記プロセッサ（２２）は、前記パターン選択および前記材料選択に基づく食品の注文を生成するかどうかに関する問合せを、前記端末装置（１）に前記通信リンクを介して送信するようにさらにプログラムされており、
前記クラウドサーバ（２）によって送信された前記問合せを受け取った後、前記端末装置（１）は、ユーザの前記入力装置（１１）への操作に従って、前記問合せの確認を生成し、前記クラウドサーバ（２）の前記プロセッサ（２２）が前記パターン選択および前記材料選択に関連する食品の注文を生成できるように、前記確認を前記クラウドサーバ（２）に通信リンクを介して送信するようにプログラムされている、請求項１に記載の販売システム（１００）。
【請求項３】
前記クラウドサーバ（２）の前記プロセッサ（２２）は、前記生成された食品の注文を前記データベース（２１）に格納するようにさらにプログラムされている、請求項１または２に記載の販売システム（１００）。
【請求項４】
前記クラウドサーバ（２）の前記プロセッサ（２２）は、前記端末装置（１）によって送信された前記パターン選択を受け取った後、前記食品材料の複数の表現を前記端末装置（１）に送信するようにプログラムされている、請求項１〜３のいずれかに記載の販売システム（１００）。
【請求項５】
前記端末装置（１）は表示装置（１２）をさらに備え、
前記材料選択を生成した後、前記端末装置（１）は、前記材料選択に関連する前記食品の外観のシミュレーション画像を生成するようにさらにプログラムされており、該シミュレーション画像は、前記食品の外観のユーザへのプレビューのために、前記端末装置（１）の前記表示装置（１２）に表示される、請求項１〜４のいずれかに記載の販売システム（１００）。
【請求項６】
前記端末装置（１）は表示装置（１２）をさらに備え、
前記材料選択を生成した後、前記端末装置（１）は、前記材料選択に関連する前記食品のカロリー含有量の情報を生成するようにさらにプログラムされており、該カロリー含有量の情報は、前記食品のカロリー含有量をユーザが確認するために、前記端末装置（１）の前記表示装置（１２）に表示される、請求項１〜４のいずれかに記載の販売システム（１００）。
【請求項７】
前記端末装置（１）は表示装置（１２）をさらに備え、
前記端末装置（１）によって送信された前記材料選択を受け取った後、前記クラウドサーバ（２）の前記プロセッサ（２２）は、前記材料選択に関連する前記食品の外観のシミュレーション画像を生成するようにさらにプログラムされており、該シミュレーション画像は、前記食品の外観のユーザへのプレビューのために、前記端末装置（１）の前記表示装置（１２）に表示される、請求項１〜４のいずれかに記載の販売システム（１００）。
【請求項８】
前記端末装置（１）は表示装置（１２）をさらに備え、
前記端末装置（１）によって送信された前記材料選択を受け取った後、前記クラウドサーバ（２）の前記プロセッサ（２２）は、前記材料選択に関連する前記食品のカロリー含有量の情報を生成するようにさらにプログラムされており、該カロリー含有量の情報は、前記食品のカロリー含有量をユーザが確認するために、前記端末装置（１）の前記表示装置（１２）に表示される、請求項１〜４のいずれかに記載の販売システム（１００）。
【請求項９】
前記端末装置（１）によって送信された前記材料選択を受け取った後、前記クラウドサーバ（２）の前記プロセッサ（２２）は、前記複数のパターンから選択された１つのパターンを構成するために、前記種々の食品材料から提案された１つの食品材料、および、前記提案された１つの食品材料の提案された配置に関連する材料の提案候補を、前記通信装置に前記通信リンクを介して提供するようにさらにプログラムされている、請求項４に記載の販売システム（１００）。
【請求項１０】
通信ネットワーク（３）に接続され、該通信ネットワーク（３）を介して端末装置（１）と通信リンクを確立するように構成されたクラウドサーバ（２）であって、
複数のパターンおよび食品材料の複数の表現を格納し、該食品材料の複数の表現は種々の食品材料にそれぞれ対応するデータベース（２１）と、
該データベース（２１）に接続されたプロセッサ（２２）と、
を備え、
前記端末装置（１）によって送信された食品のカスタマイズの要求を受け取ると、前記クラウドサーバ（２）の前記プロセッサ（２２）は、前記複数のパターンおよび前記食品材料の複数の表現を、前記端末装置（１）に前記通信リンクを介して送信するようにプログラムされており、
前記クラウドサーバ（２）によって送信された前記複数のパターンによって、前記端末装置（１）は、該端末装置（１）の前記入力装置（１１）へのユーザの操作に従って、前記複数のパターンから選択された１つのパターンに関連するパターン選択を生成し、該パターン選択を、前記通信リンクを介して前記クラウドサーバ（２）に送信することが可能になり、
クラウドサーバ（２）によって送信された前記食品材料の複数の表現によって、前記端末装置（１）は、前記入力装置（１１）へのユーザの操作に従って、前記種々の食品材料から選択された１つの食品材料に関連し、かつ、複数のパターンから選択された１つのパターンを構成するために、選択された前記種々の食品材料の１つの配置に関連する材料選択を生成し、該材料選択を前記クラウドサーバ（２）に前記通信リンクを介して送信することが可能になり、
前記端末装置（１）によって送信された前記材料選択を受け取った後、前記クラウドサーバ（２）の前記プロセッサ（２２）は、前記材料選択に関連する食品の注文を生成するようにプログラムされている、クラウドサーバ（２）。
【請求項１１】
前記端末装置（１）によって送信された前記材料選択を受け取った後、前記クラウドサーバ（２）の前記プロセッサ（２２）は、前記パターン選択および前記材料選択に基づく食品の注文を生成するかどうかに関する問合せを、前記端末装置（１）に前記通信リンクを介して送信するようにさらにプログラムされており、
前記クラウドサーバ（２）によって送信された前記問合せによって、前記端末装置（１）は、ユーザの該端末装置（１）の前記入力装置（１１）への操作に従って、前記問合せの確認を生成し、前記クラウドサーバ（２）の前記プロセッサ（２２）が前記材料選択に関連する食品の注文を生成できるように、前記確認を前記クラウドサーバ（２）に通信リンクを介して送信することが可能になり、
前記クラウドサーバ（２）の前記プロセッサ（２２）は、前記生成された食品の注文を前記データベース（２１）に格納するようにさらにプログラムされている、請求項１０に記載のクラウドサーバ（２）。
【請求項１２】
前記クラウドサーバ（２）の前記プロセッサ（２２）は、前記端末装置（１）によって送信された前記パターン選択を受け取った後、前記食品材料の複数の表現を前記端末装置（１）に送信するようにプログラムされている、請求項１０または１１に記載のクラウドサーバ（２）。
【請求項１３】
前記端末装置（１）によって送信された前記材料選択を受け取った後、前記クラウドサーバ（２）の前記プロセッサ（２２）は、前記材料選択に関連する前記食品の外観のシミュレーション画像を生成するようにさらにプログラムされており、該シミュレーション画像は、前記食品の外観のユーザへのプレビューのために、前記端末装置（１）の前記表示装置（１２）に表示される、請求項１０〜１２のいずれかに記載のクラウドサーバ（２）。
【請求項１４】
前記端末装置（１）によって送信された前記材料選択を受け取った後、前記クラウドサーバ（２）の前記プロセッサ（２２）は、前記材料選択に関連する前記食品のカロリー含有量の情報を生成するようにさらにプログラムされており、該カロリー含有量の情報は、前記食品のカロリー含有量をユーザが確認するために、前記端末装置（１）の前記表示装置（１２）に表示される、請求項１０〜１２のいずれかに記載のクラウドサーバ（２）。
【請求項１５】
前記端末装置（１）によって送信された前記材料選択を受け取った後、前記クラウドサーバ（２）の前記プロセッサ（２２）は、前記複数のパターンから選択された１つのパターンを構成するために、前記種々の食品材料から提案された１つの食品材料、および、前記提案された１つの食品材料の提案された配置に関連する材料の提案候補を、前記通信装置に前記通信リンクを介して提供するようにさらにプログラムされている、請求項１０に記載のクラウドサーバ（２）。
【発明の詳細な説明】
【技術分野】
【０００１】
本発明は、販売システムおよびクラウドサーバに関し、特に、消費者が食品の外観をカスタマイズすることを可能にする販売システムおよびクラウドサーバに関する。
【背景技術】
【０００２】
通常、食品の外観は消費者の購入意欲に影響する重大な要因である。一般に、ウエアハウスストアで大量に売られている食品は、通常、食品メーカーによる大量生産の間に、そのパッケージおよび外観がデザインされ製造される。しかしながら、通常、食品の外観は定型的であり、消費者の異なるニーズに基づいてデザインすることができない。したがって、消費者が食品の外観をカスタマイズすること、カスタマイズサービスを提供すること、および消費者の購入意欲を高めることを可能とする販売システムを開発することが要望されている。
【０００３】
特許文献１には、局所的および／または遠隔モニタリングを有する受注システムおよび方法が開示されている。
【先行技術文献】
【特許文献】
【０００４】
【特許文献１】米国特許第８２７１３４０号明細書
【発明の概要】
【発明が解決しようとする課題】
【０００５】
したがって、本発明の目的は、消費者が食品の外観をカスタマイズすることを可能にする販売システムおよびクラウドサーバを提供することである。
【課題を解決するための手段】
【０００６】
本発明の第１の態様において、販売システムは、入力装置を備える端末装置と、通信ネットワークに接続され、データベースおよび該データベースに接続されたプロセッサを備えたクラウドサーバとを備える。該データベースは、複数のパターンおよび食品材料の複数の表現を格納し、該食品材料の複数の表現は種々の食品材料にそれぞれ対応する。前記端末装置は、前記通信ネットワークを介して前記クラウドサーバと通信リンクを確立すると、食品のカスタマイズの要求を、前記クラウドサーバに前記通信リンクを介して送信することが可能になる。前記端末装置によって送信された前記要求を受け取った後、前記クラウドサーバの前記プロセッサは、前記複数のパターンおよび前記食品材料の複数の表現を、前記端末装置に前記通信リンクを介して送信するようにプログラムされている。前記クラウドサーバによって送信された前記複数のパターンを受け取った後、前記端末装置は、前記入力装置へのユーザの操作に従って、前記複数のパターンから選択された１つのパターンに関連するパターン選択を生成し、該パターン選択を、前記通信リンクを介して前記クラウドサーバに送信するようにプログラムされている。クラウドサーバによって送信された前記食品材料の複数の表現を受け取った後、前記端末装置は、前記入力装置へのユーザの操作に従って、複数のパターンから選択された１つのパターンを構成するために、前記種々の食品材料から選択された１つの食品材料に関連し、かつ、選択された前記種々の食品材料の１つの配置に関連する材料選択を生成し、該材料選択を前記クラウドサーバに前記通信リンクを介して送信するようにプログラムされている。前記端末装置によって送信された前記材料選択を受け取った後、前記クラウドサーバの前記プロセッサは、前記材料選択に関連する食品の注文を生成するようにプログラムされている。
【０００７】
本発明の第２の態様において、クラウドサーバは、通信ネットワークに接続され、該通信ネットワークを介して端末装置と通信リンクを確立するように構成されている。該クラウドサーバは、複数のパターンおよび食品材料の複数の表現を格納し、該食品材料の複数の表現は種々の食品材料にそれぞれ対応するデータベースと、該データベースに接続されたプロセッサと、を備える。前記端末装置によって送信された食品のカスタマイズの要求を受け取ると、前記クラウドサーバの前記プロセッサは、前記複数のパターンおよび前記食品材料の複数の表現を、前記端末装置に前記通信リンクを介して送信するようにプログラムされている。前記クラウドサーバによって送信された前記複数のパターンによって、前記端末装置は、該端末装置の前記入力装置へのユーザの操作に従って、前記複数のパターンから選択された１つのパターンに関連するパターン選択を生成し、該パターン選択を、前記通信リンクを介して前記クラウドサーバに送信することが可能になる。クラウドサーバによって送信された前記食品材料の複数の表現によって、前記端末装置は、前記入力装置へのユーザの操作に従って、前記種々の食品材料から選択された１つの食品材料に関連し、かつ、複数のパターンから選択された１つのパターンを構成するために、選択された前記種々の食品材料の１つの配置に関連する材料選択を生成し、該材料選択を前記クラウドサーバに前記通信リンクを介して送信することが可能になる。前記端末装置によって送信された前記材料選択を受け取った後、前記クラウドサーバの前記プロセッサは、前記材料選択に関連する食品の注文を生成するようにプログラムされている。
【発明の効果】
【０００８】
本発明の効果は、複数のパターンおよび食品材料の複数の表現を、ユーザによる選択のために端末に送信し、前記材料選択に関連する食品の注文を生成するクラウドサーバによって、ユーザが、食品の外観をカスタマイズすることができることである。
【０００９】
本発明の他の特徴および利点は、添付の図面を参照した実施形態の詳細な説明において明白になるであろう。
【図面の簡単な説明】
【００１０】
【図１】本発明に係る販売システムの第１の実施形態を示すブロック図である。
【図２】第１の実施形態によって実施される処理のフローチャートである。
【図３】本発明に係る販売システムの第２の実施形態によって実施される処理のフローチャートである。
【図４】本発明に係る販売システムの第３の実施形態によって実施される処理のフローチャートである。
【図５】本発明に係る販売システムの第４の実施形態によって実施される処理のフローチャートである。
【発明を実施するための形態】
【００１１】
図１を参照すると、本発明に係る販売システム１００の第１の実施形態は、端末装置１およびクラウドサーバ２を備えている。端末装置１は、入力装置１１、表示装置１２および制御装置１３を備え、制御装置１３は、入力装置１１および表示装置１２に接続されている。クラウドサーバ２は通信ネットワーク３に接続されており、データベース２１およびプロセッサ２２を備えている。プロセッサ２２はデータベース２１に接続されている。データベース２１は、複数のパターン、食品材料の複数の表現、および、前記複数のパターンにそれぞれ相当する複数の材料の提案候補を格納するように構成されている。食品材料の複数の表現は、種々の食品材料にそれぞれ対応する。本実施形態では、複数のパターンは二次元の（２Ｄ）パターンであるが、この形式に制限されない。本実施形態の通信ネットワーク３はインターネットである。また、端末装置１は、通信ネットワーク３への接続可能な、スマートフォンあるいはパソコンのような電子装置である。
【００１２】
前記複数のパターンは、例えば、それぞれ自動車、犬および花のパターンであってもよい。食品材料の複数の表現は、例えば、それぞれチョコレート、色のついた砂糖衣、およびイチゴのイメージであってもよい。
【００１３】
図１と共に図２を参照して、販売システムの第１の実施形態によって実施される処理のフローチャートを説明する。例えば、ケーキのカスタマイズ用の販売システムである。
【００１４】
ステップＳ０１において、端末装置１は、通信ネットワーク３を介してクラウドサーバ２と通信リンクを確立すると、食品（例えばケーキ）のカスタマイズの要求を、クラウドサーバ２に通信リンクを介して送信することが可能になる。
【００１５】
ステップＳ０２において、端末装置１によって送信された要求を受け取った後、クラウドサーバ２のプロセッサ２２は、複数のパターンを、端末装置１に通信リンクを介して送信するようにプログラムされている。
【００１６】
クラウドサーバ２によって送信された複数のパターンを受け取った後、端末装置１の制御装置１３は、端末装置１のユーザ（つまり消費者）による閲覧のために、複数のパターンを表示装置１２に表示させる制御を行うようにプログラムされている。
【００１７】
ステップＳ０３において、端末装置１の制御装置１３は、入力装置１１へのユーザの操作に従って、前記複数のパターンから選択された１つのパターンに関連するパターン選択を生成し、該パターン選択を、通信リンクを介してクラウドサーバ２に送信するようにプログラムされている。例えば、ユーザはケーキ上に表示された自動車のパターンを選択する。
【００１８】
ステップＳ０４において、端末装置１によって送信されたパターン選択を受け取った後、クラウドサーバ２のプロセッサ２２は、複数のパターンから選択された１つのパターンに対応する食品材料の複数の表現、および対応する材料の提案候補を、端末装置１に通信リンクを介して送信するようにプログラムされている。この材料の提案候補は、前記複数のパターンから選択された１つのパターンを構成するために、種々の食品材料から提案された１つの食品材料、および、種々の食品材料の選択された１つの食品材料の配置に関連している。例えば、材料の提案候補は、色のついた砂糖衣を用いた自動車の車体のパターンを装飾するチップを含んでもよい。
【００１９】
クラウドサーバ２によって送信された食品材料の複数の表現、および対応する材料の提案候補を受け取った後、端末装置１の制御装置１３は、端末装置１のユーザによる閲覧のために、食品材料の複数の表現および対応する材料の提案候補を表示装置１２に表示させる制御を行うようにプログラムされている。ユーザは、入力装置１１を操作して、食品材料の種類の１つを選択し、複数のパターンから選択された１つのパターンを構成するために、選択された食品材料を配置することができる。
【００２０】
したがって、ステップＳ０５において、端末装置１の制御装置１３は、ユーザの入力装置１１の操作による材料選択を生成するとともに、端末装置１の表示装置１２に表示するための、食品の外観のシミュレーション画像、および食品のカロリー含有量の情報を生成するようにプログラムされている。材料選択は、前記種々の食品材料から選択された１つの食品材料に関連しており、かつ、複数のパターンから選択された１つのパターンを構成するために、選択された前記種々の食品材料の１つの配置に関連している。例えば、ユーザは、自動車のパターンの車体を装飾するためにイチゴを選択し、自動車のパターンの車輪を装飾するためにチョコレートを選択する。
【００２１】
シミュレーション画像は材料選択に関連しており、材料選択に従って形成される食品の外観のユーザへのプレビューのために表示されるものである。カロリー含有量の情報は材料選択に関連しており、材料選択に従って算出される食品のカロリー含有量をユーザが確認するために表示されるものである。
【００２２】
続いて、ステップＳ０６において、端末装置１の制御装置１３は、材料選択をクラウドサーバ２に通信リンクを介して送信するようにプログラムされている。
【００２３】
ステップＳ０７において、端末装置１によって送信された材料選択を受け取った後、クラウドサーバ２のプロセッサ２２は、パターン選択および材料選択に基づく食品の注文を生成するかどうかに関する問合せを、端末装置１に通信リンクを介して送信するようにさらにプログラムされている。
【００２４】
クラウドサーバ２によって送信された問合せを受け取った後、ユーザは、問合せを確認するために、端末装置１の入力装置１１を操作するように促される。
【００２５】
したがって、ステップＳ０８において、端末装置１の制御装置１３は、ユーザの入力装置１１への操作に従って、問合せの確認を生成し、その確認をクラウドサーバ２に通信リンクを介して送信するようにプログラムされている。
【００２６】
ステップＳ０９において、端末装置１によって送信された確認を受け取った後、クラウドサーバ２のプロセッサ２２は、パターン選択および材料選択に関連する食品の注文を生成し、さらに、このように生成された食品の注文をデータベース２１に格納するようにプログラムされている。このようにして、クラウドサーバ２を運用している生産業者は、データベース２１に格納された注文に基づいて食品を生産することができ、さらに任意で、例えば、ユーザにその食品を発送することができる。
【００２７】
図３を参照して、本発明に係る販売システムの第２の実施形態によって実施される処理のフローチャートを説明する。第２の実施形態のＳ１１からＳ１４のステップは、第１実施形態のＳ０１からＳ０４のステップと同一であるので、簡潔にするため、同一事項の詳細はここでは反復しない。
【００２８】
本実施形態では、クラウドサーバ２によって送信された食品材料の複数の表現および対応する材料の提案候補を受け取った後、端末装置１の制御装置１３は、ユーザによる閲覧のために同一のものを表示するように、表示装置１２を制御する。ユーザは、端末装置１の入力装置１１を操作することにより、食品材料の１つを選択し、その選択された１つの食品材料の配置を選択して、ステップＳ１３において選択されたパターンを構成することができる。
【００２９】
このように、ステップＳ１５において、端末装置１の制御装置１３は、ユーザの入力装置１１の操作による材料選択を生成し、当該材料選択をクラウドサーバ２に通信リンクを介して送信するようにプログラムされている。
【００３０】
ステップＳ１６において、端末装置１によって送信された材料選択を受け取った後、クラウドサーバ２のプロセッサ２２は、食品の外観のシミュレーション画像、および材料選択による食品のカロリー含有量の情報を生成するようにプログラムされている。プロセッサ２２は、シミュレーション画像、カロリー含有量の情報、および、パターン選択並びに材料選択に基づく食品の注文を生成するかどうかに関する問合せを、端末装置１に通信リンクを介して送信するように、さらにプログラムされている。
【００３１】
クラウドサーバ２によって送信されたシミュレーション画像、カロリー含有量の情報および問合せを受け取った後、端末装置１の制御装置１３は、材料選択に従って形成される食品の外観のユーザへのプレビューのためのシミュレーション画像を表示装置１２に表示させる制御を行うようにプログラムされている。表示装置１２は、材料選択に従って計算された食品のカロリー含有量をユーザに認識させるためのカロリー含有量の情報を表示するように、さらにプログラムされている。その後、ユーザは、問合せを確認するために、端末装置１の入力装置１１を操作するように促される。
【００３２】
本実施形態の残りのステップＳ１７およびＳ１８は、第１の実施形態のステップＳ０８およびＳ０９と同一であるので、簡潔にするため、同一事項の詳細な説明をここでは省略する。
【００３３】
図４を参照して、本発明に係る販売システム１００の第３の実施形態によって実施される処理のフローチャートを説明する。本実施形態のステップＳ２１は、第１実施形態のステップＳ０１と同一である。
【００３４】
続いて、ステップＳ２２において、端末装置１によって送信された要求を受け取った後、クラウドサーバ２のプロセッサ２２は、複数のパターンおよび食品材料の複数の表現を、端末装置１に通信リンクを介して送信するようにプログラムされている。
【００３５】
クラウドサーバ２によって送信された複数のパターンおよび食品材料の複数の表現を受け取った後、端末装置１の制御装置１３は、端末装置１のユーザによる閲覧のために、複数のパターンおよび食品材料の複数の表現を表示装置１２に表示させる制御を行うようにプログラムされている。ユーザは、入力装置１１を操作することにより、複数のパターンの１つを選択することができる。これにより、ステップＳ２３において、制御装置１３は、入力装置１１へのユーザの操作に従って、選択された複数のパターンの１つに関連するパターン選択を生成するようにプログラムされている。ユーザはさらに、端末装置１の入力装置１１を操作することにより、食品材料の１つを選択し、選択された食品材料を配置して、選択されたパターンを構成することができる。
【００３６】
このように、ステップＳ２３において、端末装置１の制御装置１３は、入力装置１１へのユーザの操作に従って、材料選択だけでなく、食品の外観のシミュレーション画像および食品のカロリー含有量の情報も生成するように、さらにプログラムされている。制御装置１３は、ユーザへのプレビューのためのシミュレーション画像およびカロリー含有量の情報を表示装置１２に表示させる制御を行うように、さらにプログラムされている。
【００３７】
ステップＳ２４において、端末装置１の制御装置１３は、パターン選択および材料選択を、クラウドサーバ２に通信リンクを介して送信するようにプログラムされている。
【００３８】
本実施形態の残りのＳ２５からＳ２７のステップは、第１実施形態のＳ０７からＳ０９のステップと同一であるので、同一事項の詳細はここでは反復しない。
【００３９】
図５を参照して、本発明に係る販売システム１００の第４の実施形態によって実施される処理のフローチャートを説明する。本実施形態のステップＳ３１およびＳ３２は、第３の実施形態のステップＳ２１およびＳ２２と同一である。
【００４０】
続いて、クラウドサーバ２によって送信された複数のパターンおよび食品材料の複数の表現を受け取った後、端末装置１の制御装置１３は、端末装置１のユーザによる閲覧のために、複数のパターンおよび食品材料の複数の表現を表示装置１２に表示させる制御を行うようにプログラムされている。ユーザは、入力装置１１を操作することにより、複数のパターンの１つを選択することができる。これにより、ステップＳ３３において、制御装置１３は、入力装置１１へのユーザの操作に従って、選択された複数のパターンの１つに関連するパターン選択を生成するようにプログラムされている。ユーザはさらに、端末装置１の入力装置１１を操作することにより、食品材料の１つを選択し、選択された食品材料を配置して、選択されたパターンを構成することができる。
【００４１】
このように、ステップＳ３３において、端末装置１の制御装置１３は、入力装置１１へのユーザの操作に従って、材料選択を生成し、かつ、パターン選択および材料選択をクラウドサーバ２に通信リンクを介して送信するように、さらにプログラムされている。
【００４２】
ステップＳ３４において、端末装置１によって送信されたパターン選択および材料選択を受け取った後、クラウドサーバ２のプロセッサ２２は、食品の外観のシミュレーション画像、および材料選択による食品のカロリー含有量の情報を生成するようにプログラムされている。プロセッサ２２は、シミュレーション画像、カロリー含有量の情報、および、パターン選択並びに材料選択に基づく食品の注文を生成するかどうかに関する問合せを、端末装置１に通信リンクを介して送信するように、さらにプログラムされている。
【００４３】
クラウドサーバ２によって送信されたシミュレーション画像、カロリー含有量の情報、および問合せを受け取った後、端末装置１の制御装置１３は、材料選択に従って形成される食品の外観のユーザへのプレビューのためのシミュレーション画像を表示装置１２に表示させる制御を行うようにプログラムされている。表示装置１２は、材料選択に従って計算された食品のカロリー含有量をユーザに認識させるためのカロリー含有量の情報を表示するように、さらにプログラムされている。その後、ユーザは、問合せを確認するために、端末装置１の入力装置１１を操作するように促される。
【００４４】
本実施形態の残りのステップＳ３５およびＳ３６は、第３の実施形態のステップＳ２６およびＳ２７と同一であるので、簡潔にするため、同一事項の詳細な説明をここでは省略する。
【００４５】
総括すると、本発明の販売システム１００は、クラウドサーバ２を利用して、複数のパターンおよび食品材料の複数の表現を端末装置１に送信し、材料選択に関連する食品の注文を生成する。これにより、消費者は、食品の外観をカスタマイズすることができ、消費者の購入意欲が促進される。また、販売システム１００は、消費者によってカスタマイズされた食品の外観のユーザへのプレビューのために表示される、食品の外観のシミュレーション画像を提供する。
【００４６】
本発明を、例示的な実施形態と考えられるものに関連して説明したが、本発明は、開示された実施形態に限定されるものではなく、全ての改良および等価なアレンジを包含するように、最も広い解釈の精神および範囲内に含まれる様々なアレンジをカバーするように意図されていると理解される。
【図１】
2016001471.tif 000003
【図２】
2016001471.tif 000004
【図３】
2016001471.tif 000005
【図４】
2016001471.tif 000006
【図５】
2016001471.tif 000007
【外国語明細書】
2016001471000001.pdf
2016001471000002.pdf
2016001471000003.pdf
2016001471000004.pdf